(57)【要約】【課題】撮影画像における画面の輝度や色が撮影方向に依存して変化する場合においても、画像表示装置のキャリブレーションを高精度に実行することを可能にする技術を提供する。【解決手段】本発明の表示制御装置は、画像表示装置の視野角に関する視野角情報を記憶する記憶手段と、キャリブレーション用の画像が表示される前に画面を撮影することによって生成された第１撮影画像を撮影装置から取得する第１取得手段と、画面と撮影装置との間の距離を表す第１距離情報を取得する第２取得手段と、視野角情報、第１撮影画像、及び、第１距離情報に基づいて、画面の法線方向に対する撮影装置の撮影方向の角度が視野角以下となる領域を、表示領域として決定する決定手段と、表示領域にキャリブレーション用の画像が表示されるように、画像表示装置にキャリブレーション用の画像を表示させる制御手段と、を有する。【選択図】図１
2015201715.tif 000002
【特許請求の範囲】
【請求項１】
画像表示装置のキャリブレーション用の画像を前記画像表示装置に表示させる表示制御装置であって、
前記画像表示装置の視野角に関する視野角情報を記憶する記憶手段と、
前記キャリブレーション用の画像が前記画像表示装置の画面に表示された状態で前記画面を撮影するために使用される撮影装置から、前記キャリブレーション用の画像が表示される前に前記画面を撮影することによって生成された第１撮影画像を取得する第１取得手段と、
前記第１撮影画像が生成されたときの前記画面と前記撮影装置との間の距離を表す第１距離情報を取得する第２取得手段と、
前記視野角情報、前記第１撮影画像、及び、前記第１距離情報に基づいて、前記画面の領域のうち、前記画面の法線方向に対する前記撮影装置の撮影方向の角度である撮影角度が前記視野角以下となる領域を、表示領域として決定する決定手段と、
前記表示領域に前記キャリブレーション用の画像が表示されるように、前記画像表示装置に前記キャリブレーション用の画像を表示させる制御手段と、
を有することを特徴とする表示制御装置。
【請求項２】
前記視野角情報は、前記画面の領域全体に画素値が均一なベタ画像が表示された状態で前記撮影装置が前記画面を撮影することにより第２撮影画像が生成されたときの撮影角度である第１撮影角度と、前記第２撮影画像の輝度と、の対応関係である第１対応関係に関する情報であり、
前記第１撮影画像は、前記画面の領域全体にベタ画像が表示された状態で前記撮影装置が前記画面を撮影することにより生成された撮影画像であり、且つ、前記第２撮影画像よりも後に生成された撮影画像であり、
前記決定手段は、
前記第１撮影画像と前記第１距離情報とに基づいて、前記第１撮影画像が生成されたときの撮影角度である第２撮影角度と、前記第１撮影画像の輝度と、の対応関係である第２対応関係を判断し、
前記撮影角度毎に、前記第１撮影画像と前記第２撮影画像との輝度の差が第１閾値以下であるか否かを判断し、
前記画面の領域のうち、前記輝度の差が前記第１閾値以下であり、且つ、前記第１撮影画像の輝度が第２閾値以上である第２撮影角度に対応する領域を、前記表示領域として決定する
ことを特徴とする請求項１に記載の表示制御装置。
【請求項３】
前記視野角情報は、前記第２撮影画像と、前記第２撮影画像が生成されたときの前記画面と前記撮影装置との間の距離を表す第２距離情報と、を含み、
前記決定手段は、前記第２撮影画像と前記第２距離情報とに基づいて、前記第１対応関係を判断する
ことを特徴とする請求項２に記載の表示制御装置。
【請求項４】
前記決定手段は、
前記第１撮影画像の輝度を、前記第１撮影画像における前記画面の輝度の最大値で正規化し、
前記第２撮影画像の輝度を、前記第２撮影画像における前記画面の輝度の最大値で正規化し、
前記撮影角度毎に、前記第１撮影画像と前記第２撮影画像との前記正規化後の輝度の差が前記第１閾値以下であるか否かを判断し、
前記画面の領域のうち、前記正規化後の輝度の差が前記第１閾値以下であり、且つ、
前記第１撮影画像の前記正規化後の輝度が前記第２閾値以上である第２撮影角度に対応する領域を、前記表示領域として決定する
ことを特徴とする請求項２または３に記載の表示制御装置。
【請求項５】
前記記憶手段は、画素値が互いに異なる複数のベタ画像にそれぞれ対応する複数の視野角情報を記憶し、
前記第１取得手段は、前記複数のベタ画像にそれぞれ対応する複数の第１撮影画像を取得し、
前記決定手段は、
前記ベタ画像毎に、前記第２対応関係を判断し、
前記ベタ画像毎に、前記第１撮影画像と前記第２撮影画像との輝度の差が前記第１閾値以下である撮影角度を判断し、
前記ベタ画像毎に、前記画面の領域のうち、前記輝度の差が前記第１閾値以下であり、且つ、前記第１撮影画像の輝度が第２閾値以上である第２撮影角度に対応する領域を、表示領域候補として決定し、
決定された少なくとも一部の表示領域候補を、前記表示領域として決定する
ことを特徴とする請求項２〜４のいずれか１項に記載の表示制御装置。
【請求項６】
前記キャリブレーション用の画像は複数の画素値を有し、
前記複数のベタ画像は、前記キャリブレーション用の画像が有する複数の画素値にそれぞれ対応する複数のベタ画像である
ことを特徴とする請求項５に記載の表示制御装置。
【請求項７】
前記決定手段は、前記複数のベタ画像の全てに対して表示領域候補として決定された領域を、前記表示領域として決定する
ことを特徴とする請求項５または６に記載の表示制御装置。
【請求項８】
前記決定手段は、全ての撮影角度について前記輝度の差が前記第１閾値より大きい場合に、前記画面の領域全体を前記表示領域として決定する
ことを特徴とする請求項２〜７のいずれか１項に記載の表示制御装置。
【請求項９】
全ての撮影角度について前記輝度の差が前記第１閾値より大きい場合に、前記第１撮影画像に基づいて、前記画面の輝度ムラと色ムラの少なくとも一方を低減するムラ補正処理を実行する補正手段をさらに有し、
前記キャリブレーション用の画像は、全ての撮影角度について前記輝度の差が前記第１閾値より大きい場合に、前記ムラ補正処理の実行後に前記画面に表示される
ことを特徴とする請求項８に記載の表示制御装置。
【請求項１０】
前記第１撮影画像における前記画面の輝度のばらつき度合いが第３閾値以上であるか否かを判断する判断手段をさらに有し、
前記補正手段は、全ての撮影角度について前記輝度の差が前記第１閾値より大きく、且つ、前記第１撮影画像における前記画面の輝度のばらつき度合いが第３閾値以上である場合に、前記ムラ補正処理を実行し、
前記キャリブレーション用の画像は、全ての撮影角度について前記輝度の差が前記第１閾値より大きく、且つ、前記第１撮影画像における前記画面の輝度のばらつき度合いが第３閾値以上である場合に、前記ムラ補正処理の実行後に前記画面に表示される
ことを特徴とする請求項９に記載の表示制御装置。
【請求項１１】
前記表示領域のサイズが第４閾値以下である場合に、ユーザに対して前記撮影装置の位置を変更すべき旨の通知を行う通知手段をさらに有する
ことを特徴とする請求項１〜１０のいずれか１項に記載の表示制御装置。
【請求項１２】
前記距離情報は、前記撮影装置のフォーカス位置を表す情報である
ことを特徴とする請求項１〜１１のいずれか１項に記載の表示制御装置。
【請求項１３】
画像表示装置のキャリブレーション用の画像を前記画像表示装置に表示させる表示制御装置であって、
前記画像表示装置の画面と、前記キャリブレーション用の画像が前記画像表示装置の画面に表示された状態で前記画面を撮影するために使用される撮影装置と、の間の距離を表す距離情報を取得する第２取得手段と、
前記画面の領域の少なくとも一部の領域である表示領域を決定する決定手段であって、前記距離情報に基づいて、前記画面と前記撮影装置との間の距離が短いほど小さい領域を、前記表示領域として決定する決定手段と、
前記表示領域に前記キャリブレーション用の画像が表示されるように、前記画像表示装置に前記キャリブレーション用の画像を表示させる制御手段と、
を有することを特徴とする表示制御装置。
【請求項１４】
画像表示装置のキャリブレーション用の画像を前記画像表示装置に表示させる表示制御装置の制御方法であって、
前記表示制御装置が有する記憶手段から、前記画像表示装置の視野角に関する視野角情報を読み出す読み出しステップと、
前記キャリブレーション用の画像が前記画像表示装置の画面に表示された状態で前記画面を撮影するために使用される撮影装置から、前記キャリブレーション用の画像が表示される前に前記画面を撮影することによって生成された第１撮影画像を取得する第１取得ステップと、
前記第１撮影画像が生成されたときの前記画面と前記撮影装置との間の距離を表す第１距離情報を取得する第２取得ステップと、
前記視野角情報、前記第１撮影画像、及び、前記第１距離情報に基づいて、前記画面の領域のうち、前記画面の法線方向に対する前記撮影装置の撮影方向の角度である撮影角度が前記視野角以下となる領域を、表示領域として決定する決定ステップと、
前記表示領域に前記キャリブレーション用の画像が表示されるように、前記画像表示装置に前記キャリブレーション用の画像を表示させる制御ステップと、
を有することを特徴とする表示制御装置の制御方法。
【請求項１５】
前記視野角情報は、前記画面の領域全体に画素値が均一なベタ画像が表示された状態で前記撮影装置が前記画面を撮影することにより第２撮影画像が生成されたときの撮影角度である第１撮影角度と、前記第２撮影画像の輝度と、の対応関係である第１対応関係に関する情報であり、
前記第１撮影画像は、前記画面の領域全体にベタ画像が表示された状態で前記撮影装置が前記画面を撮影することにより生成された撮影画像であり、且つ、前記第２撮影画像よりも後に生成された撮影画像であり、
前記決定ステップでは、
前記第１撮影画像と前記第１距離情報とに基づいて、前記第１撮影画像が生成されたときの撮影角度である第２撮影角度と、前記第１撮影画像の輝度と、の対応関係である第２対応関係を判断し、
前記撮影角度毎に、前記第１撮影画像と前記第２撮影画像との輝度の差が第１閾値以下であるか否かを判断し、
前記画面の領域のうち、前記輝度の差が前記第１閾値以下であり、且つ、前記第１撮影画像の輝度が第２閾値以上である第２撮影角度に対応する領域を、前記表示領域として決定する
ことを特徴とする請求項１４に記載の表示制御装置の制御方法。
【請求項１６】
前記視野角情報は、前記第２撮影画像と、前記第２撮影画像が生成されたときの前記画面と前記撮影装置との間の距離を表す第２距離情報と、を含み、
前記決定ステップでは、前記第２撮影画像と前記第２距離情報とに基づいて、前記第１対応関係を判断する
ことを特徴とする請求項１５に記載の表示制御装置の制御方法。
【請求項１７】
前記決定ステップでは、
前記第１撮影画像の輝度を、前記第１撮影画像における前記画面の輝度の最大値で正規化し、
前記第２撮影画像の輝度を、前記第２撮影画像における前記画面の輝度の最大値で正規化し、
前記撮影角度毎に、前記第１撮影画像と前記第２撮影画像との前記正規化後の輝度の差が前記第１閾値以下であるか否かを判断し、
前記画面の領域のうち、前記正規化後の輝度の差が前記第１閾値以下であり、且つ、前記第１撮影画像の前記正規化後の輝度が前記第２閾値以上である第２撮影角度に対応する領域を、前記表示領域として決定する
ことを特徴とする請求項１５または１６に記載の表示制御装置の制御方法。
【請求項１８】
前記読み出しステップでは、画素値が互いに異なる複数のベタ画像にそれぞれ対応する複数の視野角情報を読み出し、
前記第１取得ステップでは、前記複数のベタ画像にそれぞれ対応する複数の第１撮影画像を取得し、
前記決定ステップでは、
前記ベタ画像毎に、前記第２対応関係を判断し、
前記ベタ画像毎に、前記第１撮影画像と前記第２撮影画像との輝度の差が前記第１閾値以下である撮影角度を判断し、
前記ベタ画像毎に、前記画面の領域のうち、前記輝度の差が前記第１閾値以下であり、且つ、前記第１撮影画像の輝度が第２閾値以上である第２撮影角度に対応する領域を、表示領域候補として決定し、
決定された少なくとも一部の表示領域候補を、前記表示領域として決定する
ことを特徴とする請求項１５〜１７のいずれか１項に記載の表示制御装置の制御方法。
【請求項１９】
前記キャリブレーション用の画像は複数の画素値を有し、
前記複数のベタ画像は、前記キャリブレーション用の画像が有する複数の画素値にそれぞれ対応する複数のベタ画像である
ことを特徴とする請求項１８に記載の表示制御装置の制御方法。
【請求項２０】
前記決定ステップでは、前記複数のベタ画像の全てに対して表示領域候補として決定された領域を、前記表示領域として決定する
ことを特徴とする請求項１８または１９に記載の表示制御装置の制御方法。
【請求項２１】
前記決定ステップでは、全ての撮影角度について前記輝度の差が前記第１閾値より大きい場合に、前記画面の領域全体を前記表示領域として決定する
ことを特徴とする請求項１５〜２０のいずれか１項に記載の表示制御装置の制御方法。
【請求項２２】
全ての撮影角度について前記輝度の差が前記第１閾値より大きい場合に、前記第１撮影画像に基づいて、前記画面の輝度ムラと色ムラの少なくとも一方を低減するムラ補正処理を実行する補正ステップをさらに有し、
前記キャリブレーション用の画像は、全ての撮影角度について前記輝度の差が前記第１閾値より大きい場合に、前記ムラ補正処理の実行後に前記画面に表示される
ことを特徴とする請求項２１に記載の表示制御装置の制御方法。
【請求項２３】
前記第１撮影画像における前記画面の輝度のばらつき度合いが第３閾値以上であるか否かを判断する判断ステップをさらに有し、
前記補正ステップでは、全ての撮影角度について前記輝度の差が前記第１閾値より大きく、且つ、前記第１撮影画像における前記画面の輝度のばらつき度合いが第３閾値以上である場合に、前記ムラ補正処理を実行し、
前記キャリブレーション用の画像は、全ての撮影角度について前記輝度の差が前記第１閾値より大きく、且つ、前記第１撮影画像における前記画面の輝度のばらつき度合いが第３閾値以上である場合に、前記ムラ補正処理の実行後に前記画面に表示される
ことを特徴とする請求項２２に記載の表示制御装置の制御方法。
【請求項２４】
前記表示領域のサイズが第４閾値以下である場合に、ユーザに対して前記撮影装置の位置を変更すべき旨の通知を行う通知ステップをさらに有する
ことを特徴とする請求項１４〜２３のいずれか１項に記載の表示制御装置の制御方法。
【請求項２５】
前記距離情報は、前記撮影装置のフォーカス位置を表す情報である
ことを特徴とする請求項１４〜２４のいずれか１項に記載の表示制御装置の制御方法。
【請求項２６】
画像表示装置のキャリブレーション用の画像を前記画像表示装置に表示させる表示制御装置の制御方法であって、
前記画像表示装置の画面と、前記キャリブレーション用の画像が前記画像表示装置の画面に表示された状態で前記画面を撮影するために使用される撮影装置と、の間の距離を表す距離情報を取得する第２取得ステップと、
前記画面の領域の少なくとも一部の領域である表示領域を決定する決定手段であって、前記距離情報に基づいて、前記画面と前記撮影装置との間の距離が短いほど小さい領域を、前記表示領域として決定する決定ステップと、
前記表示領域に前記キャリブレーション用の画像が表示されるように、前記画像表示装置に前記キャリブレーション用の画像を表示させる制御ステップと、
を有することを特徴とする表示制御装置の制御方法。
【請求項２７】
請求項１４〜２６のいずれか１項に記載の表示制御装置の制御方法の各ステップをコンピュータに実行させることを特徴とするプログラム。
【発明の詳細な説明】
【技術分野】
【０００１】
本発明は、表示制御装置、表示制御装置の制御方法、及び、プログラムに関する。
【背景技術】
【０００２】
近年、画像表示装置の高画質化が進んでおり、表示デバイスの安定性、及び、高精度な色再現に対するユーザの要求レベルも日々高まっている。
しかしながら、画像表示装置の色再現性は、表示素子の経年劣化等により変化してしまう。そのため、常に安定した色再現性を実現するためには、画像表示装置のキャリブレーションを定期的に行う必要がある。
【０００３】
キャリブレーションに関する従来技術は、例えば、特許文献１，２に開示されている。
特許文献１に開示の技術では、画像表示装置の画面にパッチ画像が表示される。そして、ユーザが光学センサを用いて測定したパッチ画像の表示輝度（画面の輝度）と表示色（画面の色）に基づいて、表示画像（画面に表示された画像）の画質が調整される。
特許文献２に開示の技術では、画像表示装置の画面に複数のパッチ画像が同時に表示される。そして、デジタルカメラ等の撮影装置で画面（複数のパッチ画像）が撮影され、複数のパッチ画像の撮影結果に基づいて表示画像の画質が調整される。特許文献２に開示の技術では、複数のパッチ画像の測定値が一度に取得できるため、短時間でキャリブレーションを実行することができる。
【０００４】
しかしながら、画像表示装置には、表示画像を正確に視認することのできる角度である視野角がある。例えば、液晶表示装置に用いられる液晶パネルは、互いに対向する２枚のガラス基板の間に液晶素子を設けた構造を有する。液晶素子の屈折率は方向に依存するため、液晶素子を透過する光は、複屈折効果を示し、方向に依存して光の輝度や色が変化してしまう。その結果、画面の法線方向に対するユーザの視線方向の角度が変化すると、ユーザが知覚する輝度や色が変化してしまう。同様に、画面の法線方向に対する撮影装置の撮影方向の角度が変化すると、撮影結果（撮影によって生成された撮影画像）が表す輝度や色が変化してしまう。
【０００５】
そして、特許文献２に開示の技術を用いた場合、撮影画像の輝度や色（撮影画像における画面の輝度や色）の変化が低減するように、キャリブレーションが行われる。そのため、撮影方向に依存した撮影画像の輝度や色の変化が発生した場合には、当該変化が低減するように、キャリブレーションが行われる。撮影方向に依存した撮影画像の輝度や色の変化は、表示素子の経年劣化等による変化ではなく、キャリブレーションによって低減すべき変化ではない。そのため、特許文献２に開示の技術を用いた場合には、キャリブレーションを高精度に実行することができないことがある。
【先行技術文献】
【特許文献】
【０００６】
【特許文献１】特開２００２−２０９２３０号公報
【特許文献２】特開２００７−２０８６２９号公報
【発明の概要】
【発明が解決しようとする課題】
【０００７】
本発明は、撮影画像における画面の輝度や色が撮影方向に依存して変化する場合においても、画像表示装置のキャリブレーションを高精度に実行することを可能にする技術を提供することを目的とする。
【課題を解決するための手段】
【０００８】
本発明の第１の態様は、
画像表示装置のキャリブレーション用の画像を前記画像表示装置に表示させる表示制御装置であって、
前記画像表示装置の視野角に関する視野角情報を記憶する記憶手段と、
前記キャリブレーション用の画像が前記画像表示装置の画面に表示された状態で前記画面を撮影するために使用される撮影装置から、前記キャリブレーション用の画像が表示される前に前記画面を撮影することによって生成された第１撮影画像を取得する第１取得手段と、
前記第１撮影画像が生成されたときの前記画面と前記撮影装置との間の距離を表す第１距離情報を取得する第２取得手段と、
前記視野角情報、前記第１撮影画像、及び、前記第１距離情報に基づいて、前記画面の領域のうち、前記画面の法線方向に対する前記撮影装置の撮影方向の角度である撮影角度が前記視野角以下となる領域を、表示領域として決定する決定手段と、
前記表示領域に前記キャリブレーション用の画像が表示されるように、前記画像表示装置に前記キャリブレーション用の画像を表示させる制御手段と、
を有することを特徴とする表示制御装置である。
【０００９】
本発明の第２の態様は、
画像表示装置のキャリブレーション用の画像を前記画像表示装置に表示させる表示制御装置であって、
前記画像表示装置の画面と、前記キャリブレーション用の画像が前記画像表示装置の画面に表示された状態で前記画面を撮影するために使用される撮影装置と、の間の距離を表す距離情報を取得する第２取得手段と、
前記画面の領域の少なくとも一部の領域である表示領域を決定する決定手段であって、前記距離情報に基づいて、前記画面と前記撮影装置との間の距離が短いほど小さい領域を、前記表示領域として決定する決定手段と、
前記表示領域に前記キャリブレーション用の画像が表示されるように、前記画像表示装置に前記キャリブレーション用の画像を表示させる制御手段と、
を有することを特徴とする表示制御装置である。
【００１０】
本発明の第３の態様は、
画像表示装置のキャリブレーション用の画像を前記画像表示装置に表示させる表示制御装置の制御方法であって、
前記表示制御装置が有する記憶手段から、前記画像表示装置の視野角に関する視野角情報を読み出す読み出しステップと、
前記キャリブレーション用の画像が前記画像表示装置の画面に表示された状態で前記画面を撮影するために使用される撮影装置から、前記キャリブレーション用の画像が表示される前に前記画面を撮影することによって生成された第１撮影画像を取得する第１取得ステップと、
前記第１撮影画像が生成されたときの前記画面と前記撮影装置との間の距離を表す第１距離情報を取得する第２取得ステップと、
前記視野角情報、前記第１撮影画像、及び、前記第１距離情報に基づいて、前記画面の領域のうち、前記画面の法線方向に対する前記撮影装置の撮影方向の角度である撮影角度が前記視野角以下となる領域を、表示領域として決定する決定ステップと、
前記表示領域に前記キャリブレーション用の画像が表示されるように、前記画像表示装置に前記キャリブレーション用の画像を表示させる制御ステップと、
を有することを特徴とする表示制御装置の制御方法である。
【００１１】
本発明の第４の態様は、
画像表示装置のキャリブレーション用の画像を前記画像表示装置に表示させる表示制御装置の制御方法であって、
前記画像表示装置の画面と、前記キャリブレーション用の画像が前記画像表示装置の画面に表示された状態で前記画面を撮影するために使用される撮影装置と、の間の距離を表す距離情報を取得する第２取得ステップと、
前記画面の領域の少なくとも一部の領域である表示領域を決定する決定手段であって、前記距離情報に基づいて、前記画面と前記撮影装置との間の距離が短いほど小さい領域を、前記表示領域として決定する決定ステップと、
前記表示領域に前記キャリブレーション用の画像が表示されるように、前記画像表示装置に前記キャリブレーション用の画像を表示させる制御ステップと、
を有することを特徴とする表示制御装置の制御方法である。
【００１２】
本発明の第５の態様は、上述した表示制御装置の制御方法の各ステップをコンピュータに実行させることを特徴とするプログラムである。
【発明の効果】
【００１３】
本発明によれば、撮影画像における画面の輝度や色が撮影方向に依存して変化する場合においても、画像表示装置のキャリブレーションを高精度に実行することが可能になる。
【図面の簡単な説明】
【００１４】
【図１】実施例１に係る校正システムの機能構成の一例を示すブロック図
【図２】実施例１に係るパッチ画像の表示例を示す図
【図３】実施例１に係る校正システムの動作の一例を示すフローチャート
【図４】実施例１に係るベタ画像の表示例を示す図
【図５】実施例１に係る比較撮影画像の輝度分布の一例を示す図
【図６】実施例１に係る基準撮影画像の輝度分布の一例を示す図
【図７】実施例１に係る分割領域の一例を示す図
【図８】実施例１に係る分割領域の輝度Ｌｕ１とフラグＦ２の一例を示す図
【図９】実施例１に係るパッチ画像の表示例を示す図
【図１０】実施例２に係る校正システムの機能構成の一例を示すブロック図
【図１１】実施例２に係る撮影画像の輝度分布の一例を示す図
【発明を実施するための形態】
【００１５】
＜実施例１＞
以下に、本発明の実施例１に係る表示制御装置及びその制御方法について、図面を用いて説明する。
【００１６】
（構成）
以下、図１を用いて、本実施例に係る校正システムの構成について説明する。図１は、本実施例に係る校正システムの機能構成の一例を示すブロック図である。図１に示す校正システム１００は、表示制御装置１０１、画像表示装置１０２、及び、撮影装置１０３を有する。
【００１７】
表示制御装置１０１は、画像表示装置１０２のキャリブレーション用の画像を画像表示装置１０２に表示させる。
画像表示装置１０２は、入力画像データ（画像表示装置１０２に入力された画像）に基づく画像を画面に表示する。画像表示装置１０２としては、例えば、液晶表示装置、有機ＥＬ表示装置、プラズマ表示装置、等を使用することができる。
撮影装置１０３は、撮影を行うことによって撮影画像データを生成する。撮影装置１０
３としては、例えば、デジタルカメラを使用することができる。本実施例では、撮影装置１０３は、キャリブレーション用の画像が画像表示装置１０２の画面に表示された状態で画面を撮影するために使用される。そして、不図示の校正装置が、キャリブレーション用の画像の撮影結果に基づいて画像表示装置１０２のキャリブレーションを実行する。画像表示装置１０２のキャリブレーションは、例えば、画像表示装置１０２の表示輝度や表示色（画面の輝度や色）のキャリブレーションである。
【００１８】
なお、本実施例では、表示制御装置１０１が画像表示装置１０２と別体の装置である場合の例を説明するが、表示制御装置１０１は画像表示装置１０２内に設けられていてもよい。また、校正装置は、表示制御装置１０１と画像表示装置１０２とは別体の装置であってもよいし、表示制御装置１０１または画像表示装置１０２内に設けられていてもよい。
【００１９】
表示制御装置１０１は、操作部１０４、パッチ生成部１０５、記憶部１０６、輝度比較部１０７、領域決定部１０８、等を有する。
【００２０】
操作部１０４は、ユーザ操作を受け付け、ユーザ操作に応じた操作情報をパッチ生成部１０５に出力する。
【００２１】
パッチ生成部１０５は、キャリブレーションを開始するユーザ操作（キャリブレーション開始操作）に応じた操作情報が操作部１０４から出力された場合に、キャリブレーション用の画像であるパッチ画像を画像表示装置１０２に表示させる。本実施例では、図２に示すように、キャリブレーション用の画像として複数のパッチ画像が画像表示装置１０２の画面に表示される。パッチ画像は画素値が均一なベタ画像であり、複数のパッチの画素値は互いに異なる。
なお、パッチ画像の数は１つであってもよい。また、キャリブレーション用の画像はパッチ画像に限らない。例えば、キャリブレーション用の画像は、複数の画素値を有するグラフィック画像であってもよい。
【００２２】
本実施例では、パッチ生成部１０５は、キャリブレーション開始操作に応じた操作情報が操作部１０４から出力された場合に、画素値が均一なベタ画像を表すベタ画像データを生成し、生成したベタ画像データを画像表示装置１０２に出力する。それにより、画像表示装置１０２の画面の領域全体にベタ画像が表示される。
そして、パッチ生成部１０５は、表示領域を表す表示領域情報が領域決定部１０８から出力された場合に、表示領域にパッチ画像が配置された画像を表すパッチ画像データを生成し、生成したパッチ画像データを画像表示装置１０２に出力する。それにより、表示領域にパッチ画像が表示される。表示領域は、画像表示装置１０２の画面の領域の少なくとも一部の領域である。
【００２３】
記憶部１０６は、画像表示装置１０２の視野角に関する視野角情報を記憶する。記憶部１０６としては、半導体メモリ、磁気ディスク、光ディスク、等を使用できる。
本実施例では、視野角情報として、基準撮影画像と基準距離情報が予め記録されている。基準撮影画像は、画像表示装置１０２の画面の領域全体にベタ画像が表示された状態で撮影装置１０３が撮影することにより生成された撮影画像（第２撮影画像）である。基準距離情報は、基準撮影画像が生成されたときの画像表示装置１０２の画面と撮影装置１０３との間の距離を表す距離情報（第２距離情報）である。距離情報としては、例えば、撮影装置１０３のフォーカス位置を表す情報を使用することができる。
【００２４】
なお、基準撮影画像は、キャリブレーションを実行する際に生成される撮影画像ではない。例えば、基準撮影画像は、画像表示装置１０２の最初の使用時にユーザに撮影を行わせることで生成される撮影画像である。基準撮影画像は、画像表示装置１０２の経年劣化
等による表示輝度や表示色の変化（キャリブレーションを必要とする変化）が生じていない又は小さいときに生成されることが好ましい。
なお、基準撮影画像は、各画素の輝度のみを表す輝度分布画像であってもよいし、各画素の輝度と色を表す画像であってもよい。
【００２５】
本実施例では、パッチ画像が表示される前に、撮影装置１０３を用いて画像表示装置１０２の画面を撮影することにより、比較撮影画像（第１撮影画像）が生成される。具体的には、画像表示装置１０２の画面の領域全体にベタ画像が表示された状態で撮影装置１０３が画像表示装置１０２の画面を撮影することにより、比較撮影画像が生成される。
【００２６】
なお、比較撮影画像は、各画素の輝度のみを表す輝度分布画像であってもよいし、各画素の輝度と色を表す画像であってもよい。
なお、比較撮影画像を生成する際に表示されるベタ画像の画素値は、基準撮影画像を生成する際に表示されるベタ画像と同じであってもよいし、異なっていてもよい。
【００２７】
輝度比較部１０７と領域決定部１０８により、撮影装置１０３から比較撮影画像と比較距離情報が取得される。そして、輝度比較部１０７と領域決定部１０８により、記憶部１０６に記録されている視野角情報、及び、撮影装置１０３から取得された比較撮影画像と比較距離情報、に基づいて、表示領域が決定される。比較距離情報は、比較撮影画像が生成されたときの画像表示装置１０２の画面と撮影装置１０３との間の距離を表す距離情報（第１距離情報）である。
本実施例では、画像表示装置１０２の画面の領域のうち、撮影角度が画像表示装置１０２の視野角以下となる領域が、表示領域として決定される。撮影角度は、画像表示装置１０２の画面の法線方向に対する撮影装置１０３の撮影方向の角度である。
【００２８】
なお、比較撮影画像を取得する処理（第１取得処理）、比較距離情報を取得する処理（第２取得処理）、及び、表示領域を決定する処理（決定処理）のうち、少なくともいずれかは、他の処理と異なる機能部によって行われてもよい。
なお、本実施例では、比較距離情報が撮影装置１０３から取得される例を説明するが、これに限らない。例えば、比較距離情報は、ユーザによって入力されてもよい。
【００２９】
輝度比較部１０７は、撮影装置１０３から比較撮影画像と比較距離情報を取得し、記憶部１０６から視野角情報を読み出す。そして、輝度比較部１０７は、比較撮影画像及び比較距離情報を視野角情報と比較し、その比較結果を領域決定部１０８に出力する。
【００３０】
領域決定部１０８は、輝度比較部１０７の比較結果に基づいて、表示領域を決定する。そして、領域決定部１０８は、決定した表示領域を表す表示領域情報を、パッチ生成部１０５に出力する。
【００３１】
（動作）
以下、図３を用いて、校正システム１００の動作について説明する。図３は、校正システム１００の動作の一例を示すフローチャートである。図３は、画像表示装置１０２のキャリブレーションを実行する際の動作を示す。
なお、以下では、説明を簡略化するために、撮影装置１０３が撮影する領域（撮影領域）の中心が、画像表示装置１０２の画面の中心と一致する場合の例を説明する。
【００３２】
まず、操作部１０４が、キャリブレーション開始操作が行われたか否かを判断する（Ｓ１０１）。キャリブレーション開始操作では、キャリブレーションを開始するユーザ操作の他に、キャリブレーションの目標値を入力するユーザ操作も行われる。
キャリブレーション開始操作が行われるまでＳ１０１の処理が繰り返される。そして、
キャリブレーション開始操作が行われた場合に、パッチ生成部１０５は、操作情報としてフラグＦ１をパッチ生成部１０５に出力する。そして、Ｓ１０２に処理が進められる。
【００３３】
次に、パッチ生成部１０５が、フラグＦ１の受信に応じて、ベタ画像を画像表示装置１０２の画面に表示させる（Ｓ１０２）。
パッチ生成部１０５では、Ｒ値、Ｇ値、及び、Ｂ値がそれぞれ８ビットの値であるＲＧＢ値を画素値として有する画像データ（ベタ画像データ及びパッチ画像データ）が生成される。
Ｓ１０２では、図４に示すように、画像表示装置１０２の画面の領域全体に、画素値（Ｒ値，Ｇ値，Ｂ値）＝（２５５，２５５，２５５）の白色画像が表示される。
【００３４】
なお、Ｓ１０２で表示されるベタ画像の画素値は上記値に限らない。例えば、ベタ画像として、赤色画像、緑色画像、青色画像、シアン色画像、マゼンタ色画像、イエロー色画像、グレー色画像、等が表示されてもよい。
なお、階調値のビット数は８ビットより多くても少なくてもよい。
なお、画素値はＲＧＢ値に限らない。例えば、画素値はＹＣｂＣｒ値であってもよい。
【００３５】
Ｓ１０２の次に、撮影装置１０３が、画像表示装置１０２の画面にベタ画像が表示された状態で、画像表示装置１０２の画面を撮影する（Ｓ１０３）。それにより、比較撮影画像と比較距離情報が生成される。
ここで、撮影画像における画像表示装置１０２の画面の輝度分布は、画像表示装置１０２の画面と撮影装置１０３との位置関係の変化によって変化する。例えば、画面と撮影装置１０３との間の距離が短い場合には、上記輝度分布に、撮影角度の変化による輝度の変化（視野角特性）に対応する大きな輝度ムラが現れる。そして、視野角特性に対応する輝度ムラは、画面と撮影装置１０３との間の距離の増加に伴って低下する。
本実施例では、Ｓ１０２において、画面と撮影装置１０３との間の距離が短く、図５に示す輝度分布を有する比較撮影画像が生成された場合の例を説明する。図５は、比較撮影画像における画面の輝度分布を示す図である。図５に示す輝度分布は、図４に示す破線上の輝度分布である。即ち、図５に示す輝度分布は、画面の垂直方向の中心位置での水平方向の輝度分布である。図５の縦軸は輝度を示し、図５の横軸は水平位置を示す。図５の輝度分布では、画面の中心から水平方向に離れるにつれて輝度が低下している。
なお、図５は、撮影領域の中心が画面の中心と一致する場合の例を示している。撮影領域の中心が画面の中心からずれている場合には、輝度分布のピークは画面の中心からずれた位置に現れることがある。
【００３６】
そして、輝度比較部１０７が、撮影装置１０３から比較撮影画像と比較距離情報を取得する（Ｓ１０４）。
次に、輝度比較部１０７が、記憶部１０６から視野角情報を読み出す（Ｓ１０５）。
上述したように、本実施例では、基準撮影画像と基準距離情報とが視野角情報として記憶部１０６に記録されている。
本実施例では、図６に示す輝度分布を有する基準撮影画像が記録されているものとする。図６は、基準撮影画像における画面の輝度分布を示す図である。図６に示す輝度分布は、図４に示す破線上の輝度分布である。図６の縦軸は輝度を示し、図６の横軸は水平位置を示す。
【００３７】
そして、輝度比較部１０７が、Ｓ１０４で取得した比較撮影画像と比較距離情報を、Ｓ１０５で読み出した視野角情報と比較する（Ｓ１０６；比較処理）。そして、輝度比較部１０７は、Ｓ１０６の比較結果を領域決定部１０８に出力する。
【００３８】
本実施例では、図７に示すように、画像表示装置１０２の画面の領域を構成する複数の
分割領域が設定されている。図７の例では、画面の領域を構成する水平方向１０個×垂直方向７個の合計７０個の分割領域が設定されている。各分割領域には位置座標（水平位置ｘ，垂直位置ｙ）＝（１，１）〜（１０，７）が関連付けられており、位置座標（ｘ，ｙ）で分割領域を指定することができる。図７の破線は、画面の垂直方向の中心位置を示す。
なお、分割領域の数は７０個より多くても少なくてもよい。
また、複数の分割領域は、画面の領域をマトリクス状に分割して得られる複数の領域に限らない。例えば、複数の分割領域は、画面の領域を水平方向または垂直方向に短冊状に分割して得られる複数の領域であってもよい。
【００３９】
輝度比較部１０７は、比較撮影画像と比較距離情報とに基づいて、比較撮影画像が生成されたときの撮影角度である比較撮影角度（第２撮影角度）と、比較撮影画像の輝度と、の対応関係である比較対応関係（第２対応関係）を判断する。
まず、比較距離情報が表す距離Ｌ１と、比較撮影画像における画面の領域と、に基づいて、各分割領域の比較撮影角度θ１＿ｘｙが取得（算出）される。具体的には、分割領域毎に、比較撮影画像が生成されたときの撮影装置１０３の位置から分割領域に向かう撮影方向の、画像表示装置１０２の画面の法線方向に対する角度が、比較撮影角度θ１＿ｘｙとして取得される。ｘｙは、分割領域の位置座標を示す。
そして、比較撮影画像に基づいて、分割領域毎に、その分割領域における比較撮影画像の輝度が取得（算出）される。
これにより、比較対応関係が得られる。
そして、輝度比較部１０７は、比較撮影画像の輝度を、比較撮影画像における画面の輝度の最大値で正規化する。正規化後の輝度をＬｕ１＿ｘｙと記載する。具体的には、複数の分割領域に対して取得された複数の輝度（比較撮影画像の輝度）が、当該複数の輝度の最大値で正規化される。本実施例では、撮影領域の中心が画面の中心と一致するため、画面の中心に対応する分割領域に対して取得された輝度で複数の輝度が正規化される。
なお、処理精度の観点から上記正規化を行うことが好ましいが、上記正規化は行われなくてもよい。
【００４０】
また、輝度比較部１０７は、基準撮影画像と基準距離情報とに基づいて、基準撮影画像が生成されたときの撮影角度である基準撮影角度（第１撮影角度）と、基準撮影画像の輝度と、の対応関係である基準対応関係（第１対応関係）を判断する。
まず、基準距離情報が表す距離Ｌ２と、基準撮影画像における画面の領域と、に基づいて、各分割領域の基準撮影角度θ２＿ｘｙが取得（算出）される。具体的には、分割領域毎に、基準撮影画像が生成されたときの撮影装置１０３の位置から分割領域に向かう撮影方向の、画像表示装置１０２の画面の法線方向に対する角度が、基準撮影角度θ２＿ｘｙとして取得される。
そして、基準撮影画像に基づいて、分割領域毎に、その分割領域における基準撮影画像の輝度が取得（算出）される。
これにより、基準対応関係が得られる。
そして、輝度比較部１０７は、基準撮影画像の輝度を、基準撮影画像における画面の輝度の最大値で正規化する。正規化後の輝度をＬｕ２＿ｘｙと記載する。具体的には、複数の分割領域に対して取得された複数の輝度（基準撮影画像の輝度）が、当該複数の輝度の最大値で正規化される。
なお、処理精度の観点から上記正規化を行うことが好ましいが、上記正規化は行われなくてもよい。
また、基準対応関係が視野角情報として用意されていてもよい。
【００４１】
そして、輝度比較部１０７は、撮影角度毎に、比較撮影画像と基準撮影画像との正規化後の輝度の差が第１閾値以下であるか否かを判断する。即ち、比較撮影角度θ１＝基準撮
影角度θ２となる輝度Ｌｕ１＿ｘｙと輝度Ｌｕ２＿ｘｙが、以下の式１を満たすか否かが判断される。式１において、Ｔｈ＿ｄｒｏｐは第１閾値である。第１閾値Ｔｈ＿ｄｒｏｐは、例えば、キャリブレーションの目標精度に基づいて決定された値である。第１閾値Ｔｈ＿ｄｒｏｐは、メーカによって予め定められた固定値であってもよいし、ユーザが変更可能な値であってもよい。
｜Ｌｕ１＿ｘｙ−Ｌｕ２＿ｘｙ｜≦Ｔｈ＿ｄｒｏｐ  ・・・（式１）
【００４２】
輝度比較部１０７は、式１を満たす第２撮影角度に対応する分割領域に対して、視野角特性（撮影角度の変化による輝度の変化）に対応する輝度ムラが支配的であり、視野角特性に対応する輝度ムラ以外の輝度ムラの大きさが閾値以下である、と判断する。そして、輝度比較部１０７は、式１を満たす第２撮影角度に対応する分割領域の比較結果としてフラグＦ２＝１を領域決定部１０８に出力する。
また、輝度比較部１０７は、式１を満たさない第２撮影角度に対応する分割領域に対して、視野角特性に対応する輝度ムラ以外の輝度ムラとして閾値より大きい輝度ムラが生じている、と判断する。そして、輝度比較部１０７は、式１を満たさない第２撮影角度に対応する分割領域の比較結果としてフラグＦ２＝０を領域決定部１０８に出力する。
【００４３】
図３の説明に戻る。
Ｓ１０６の次に、領域決定部１０８が、Ｓ１０６の比較結果に基づいて表示領域を決定し、決定した表示領域を表す表示領域情報をパッチ生成部１０５に出力する（Ｓ１０７）。
【００４４】
具体的には、領域決定部１０８は、フラグＦ２＝１を受信した場合に、フラグＦ２＝１の分割領域のうち、Ｓ１０６で取得された輝度Ｌｕ１＿ｘｙが第２閾値以上である分割領域を、表示領域として決定する。それにより、視野角特性に対応する輝度ムラが支配的な領域であり、且つ、視野角特性による輝度低下（輝度ムラ）が小さい領域を、表示領域として決定することができる。
【００４５】
図７の破線の位置に配置されている分割領域の輝度Ｌｕ１＿ｘｙとフラグＦ２の一例を図８に示す。図８の例では、図７の破線の位置に配置されている全ての分割領域についてフラグＦ２＝１が設定されている。他の分割領域についてはフラグＦ２＝０が設定されているものとする。第２閾値が９０である場合、図７の破線の位置に配置されている分割領域のうち、輝度Ｌｕ１＿ｘｙが第２閾値以上である分割領域は、位置座標（ｘ，ｙ）＝（３，４），（４，４），（５，４）の３つの分割領域である。そのため、その場合には、位置座標（ｘ，ｙ）＝（３，４），（４，４），（５，４）の３つの分割領域からなる領域が表示領域として決定される。
【００４６】
また、領域決定部１０８は、画面の領域に、輝度Ｌｕ１＿ｘｙと輝度Ｌｕ２＿ｘｙの差が第１閾値以下であり、且つ、輝度Ｌｕ１＿ｘｙが第２閾値以上である分割領域が存在しない場合に、画面の領域全体を表示領域として決定する。即ち、全ての分割領域に対してフラグＦ２＝０が設定された場合、及び、フラグＦ２＝１が設定された全ての分割領域の輝度Ｌｕ１＿ｘｙが第２閾値未満であった場合には、画面の領域全体が表示領域として決定される。
なお、画面の領域に、輝度Ｌｕ１＿ｘｙと輝度Ｌｕ２＿ｘｙの差が第１閾値以下であり、且つ、輝度Ｌｕ１＿ｘｙが第２閾値以上である分割領域が存在しない場合には、画面の領域内の予め定められた一部の領域が表示領域として決定されてもよい。
【００４７】
Ｓ１０７の次に、パッチ生成部１０５が、Ｓ１０７で決定された表示領域にパッチ画像
が表示されるように、画像表示装置１０２にパッチ画像を表示させる（Ｓ１０８）。
そして、撮影装置１０３が、画像表示装置１０２の画面にパッチ画像が表示された状態で、画像表示装置１０２の画面を撮影する（Ｓ１０９）。
その後、Ｓ１０９で生成された撮影画像（パッチ画像の撮影結果）に基づいて、画像表示装置１０２のキャリブレーションが実行される。
【００４８】
以上述べたように、本実施例によれば、パッチ画像を表示する領域が、撮影角度が視野角以下となる領域に制限される。そのため、画面と撮影装置との間の距離が小さい場合には、図９に示すように、撮影角度が視野角以下となる表示領域として、画面の領域よりも小さい領域が決定され、表示領域にパッチ画像が表示される。それにより、視野角特性による輝度ムラが小さい領域にパッチ画像を表示することができる。その結果、パッチ画像の撮影結果として適切な撮影結果を得ることが可能となり、画像表示装置のキャリブレーションを高精度に実行することが可能となる。
また、本実施例によれば、輝度Ｌｕ１＿ｘｙと輝度Ｌｕ２＿ｘｙの差が第１閾値より大きい領域が表示領域から除外される。それにより、視野角特性による輝度ムラ以外の輝度ムラの大きさが閾値より大きい領域を表示領域から除外することができ、視野角特性による輝度ムラ以外の輝度ムラの大きさが閾値以下の領域に制限してパッチ画像を表示することができる。その結果、パッチ画像の撮影結果としてより適切な撮影結果を得ることが可能となり、画像表示装置のキャリブレーションをより高精度に実行することが可能となる。
このように、本実施例によれば、撮影画像における画面の輝度や色が撮影方向に依存して変化する場合においても、画像表示装置のキャリブレーションを高精度に実行することが可能となる。
【００４９】
なお、表示制御装置１０１は、表示領域のサイズが第４閾値以下である場合に、ユーザに対して撮影装置１０３の位置を変更すべき旨の通知を行う通知部をさらに有していてもよい。通知部は、例えば、撮影装置１０３を画面から遠ざけるべき旨の通知を行う。ユーザへの通知は、音や光を用いて実現することができる。例えば、ユーザへの通知は、画像表示装置１０２の画面にメッセージやグラフィック画像（アイコン等）を表示することによって実現することができる。これにより、画像表示装置１０２の画面と撮影装置１０３との間の距離を十分にとった状態での画面の再撮影をユーザに促すことができ、パッチ画像を表示するのに十分なサイズの表示領域を再決定することができる。また、フラグＦ２＝１が設定された全ての分割領域の輝度Ｌｕ１＿ｘｙが第２閾値未満であった場合に、画面の領域全体を表示領域として決定するのではなく、上述した通知が行われてもよい。
【００５０】
なお、視野角情報は、基準撮影画像、基準距離情報、及び、基準対応関係に限らない。例えば、視野角情報は、画像表示装置１０２の視野角であってもよい。視野角情報は、記憶部１０６に予め記録されていてもよいし、そうでなくてもよい。例えば、視野角情報は、画像表示装置１０２から取得されてもよいし、ユーザによって入力されてもよい。
【００５１】
なお、本実施例では、１つの視野角情報が使用される例を説明したが、これに限らない。例えば、記憶部１０６には、画素値が互いに異なる複数のベタ画像にそれぞれ対応する複数の視野角情報が記録されていてもよい。そして、複数のベタ画像にそれぞれ対応する複数の比較撮影画像が取得され、ベタ画像毎に表示領域候補が決定され、決定された少なくとも一部の表示領域候補が、表示領域として決定されてもよい。それにより、画素値によって視野角特性が異なる場合においても、適切な表示領域を決定することが可能となる。
【００５２】
ベタ画像毎の表示領域候補は、以下の方法で決定することができる。
まず、ベタ画像毎に、比較対応関係を判断する。
次に、ベタ画像毎に、比較撮影画像と基準撮影画像との輝度の差が第１閾値以下である撮影角度を判断する。
そして、ベタ画像毎に、画面の領域のうち、輝度の差が第１閾値以下であり、且つ、比較撮影画像の輝度が第２閾値以上である比較撮影角度に対応する領域を、表示領域候補として決定する。
【００５３】
なお、キャリブレーション用の画像が複数の画素値を有する場合に、上記複数のベタ画像は、キャリブレーション用の画像が有する複数の画素値にそれぞれ対応する複数のベタ画像であることが好ましい。
また、複数のベタ画像の全てに対して表示領域候補として決定された領域が、表示領域として決定されることが好ましい。
それにより、適切な表示領域をより確実に決定することができる。
【００５４】
なお、本実施例では、視野角情報を使用して表示領域を決定する例を説明したが、これに限らない。例えば、視野角情報を用いずに、比較距離情報に基づいて表示領域が決定されてもよい。具体的には、比較距離情報に基づいて、比較距離情報が表す距離Ｌ１が短いほど小さい領域が表示領域として決定されてもよい。その際、比較撮影画像の中心と表示領域の中心とが一致するように表示領域が決定されることが好ましい。これにより、簡易な構成で、視野角特性による輝度ムラが小さい表示領域を決定することができる。
【００５５】
＜実施例２＞
以下に、本発明の実施例１に係る表示制御装置及びその制御方法について、図面を用いて説明する。
本実施例では、基準撮影画像と比較撮影画像の間の輝度の差が第１閾値以下であり、且つ、比較撮影画像の輝度が第２閾値以上である比較撮影角度に対応する領域が存在しない場合に、ムラ補正処理を実行する例を説明する。ムラ補正処理は、画面の輝度ムラと色ムラの少なくとも一方を低減する処理である。
【００５６】
図１０は、本実施例に係る校正システム２００の機能構成の一例を示すブロック図である。図１０に示すように、校正システム２００は、実施例１（図１）の表示制御装置１０１の代わりに表示制御装置２０１を有する。表示制御装置２０１は、図１の表示制御装置１０１が有する機能部の他に、ムラ補正部２０２をさらに有する。
なお、図１０において、図１と同じ機能部には同じ符号を付し、その説明は省略する。
【００５７】
ムラ補正部２０２は、比較撮影画像における画面の輝度のばらつき度合いが第３閾値以上であるか否かを判断する（ばらつき判断処理）。第３閾値は、メーカによって予め定められた固定値であってもよいし、ユーザが変更可能な値であってもよい。
具体的には、ムラ補正部２０２は、輝度比較部１０７から各分割領域の輝度Ｌｕ１＿ｘｙとフラグＦ２を受信する。
そして、ムラ補正部２０２は、全ての分割領域においてフラグＦ２＝０である場合に、輝度Ｌｕ１＿ｘｙのばらつき度合いを算出し、算出したばらつき度合いを第３閾値と比較する。即ち、全ての撮影角度について輝度Ｌｕ１＿ｘｙと輝度Ｌｕ２＿ｘｙとの差が第１閾値より大きい場合に、ばらつき度合いが算出され、算出されたばらつき度合いが第３閾値と比較される。
【００５８】
例えば、比較撮影画像の輝度分布が図１１（Ａ）に示す分布であり、基準撮影画像の輝度分布が図１１（Ｂ）に示す分布であったとする。
図１１（Ａ），１１（Ｂ）の例では、比較撮影画像の輝度分布が基準撮影画像の輝度分布と大きく異なる。具体的には、図１１（Ｂ）の例では、基準撮影画像は、画面の中心から水平方向に離れるにつれて輝度が低下する輝度分布を有する。これに対し、図１１（Ａ
）の例では、比較撮影画像は、水平方向において輝度の増加と低下が繰り返される輝度分布を有する。
このような場合に、輝度比較部１０７は、全ての分割領域に対して、視野角特性に対応する輝度ムラ以外の輝度ムラとして閾値より大きい輝度ムラが生じていると判断し、Ｆ２＝０を設定する。
【００５９】
なお、輝度Ｌｕ１＿ｘｙのばらつき度合いの算出方法は特に限定されない。
また、フラグＦ２に拘らずに輝度Ｌｕ１＿ｘｙのばらつき度合いが算出されてもよい。
【００６０】
また、ムラ補正部２０２は、比較撮影画像（例えば、各分割領域の輝度Ｌｕ１＿ｘｙ）に基づいて、上述したムラ補正処理を実行する。
具体的には、ムラ補正部２０２は、全ての分割領域においてフラグＦ２＝０であり、且つ、輝度Ｌｕ１＿ｘｙのばらつき度合いが第３閾値以上である場合に、無視できないムラ（輝度ムラや色ムラ）が生じていると判断し、ムラ補正処理を実行する。本実施例では、ムラ補正処理として、パッチ生成部１０５から出力されたパッチ画像データを補正する画像処理が実行される。
【００６１】
なお、ムラ補正処理は上記画像処理に限らない。例えば、ムラ補正処理は、画像表示装置が実行する画像処理で使用される処理パラメータを調整する調整処理であってもよい。
なお、本実施例では、全ての分割領域においてフラグＦ２＝０である場合にばらつき判断処理が行われるため、ムラ補正処理を実行する際にはフラグＦ２を参照する必要はない。
なお、ムラ補正処理は、ばらつき判断処理を実行する機能部とは異なる機能部によって実行されてもよい。
【００６２】
ムラ補正部２０２は、全ての分割領域においてフラグＦ２＝０であり、且つ、輝度Ｌｕ１＿ｘｙのばらつき度合いが第３閾値以上である場合に、ムラ補正処理が施されたパッチ画像データを画像表示装置１０２に出力する。そして、ムラ補正部２０２は、それ以外の場合に、パッチ生成部１０５から出力された画像データを画像表示装置１０２に出力する。
それにより、パッチ画像は、全ての分割領域においてフラグＦ２＝０であり、且つ、輝度Ｌｕ１＿ｘｙのばらつき度合いが第３閾値以上である場合に、ムラ補正処理の実行後に画像表示装置１０２の画面に表示されることとなる。
【００６３】
以上述べたように、本実施例によれば、キャリブレーションを実行する際に無視できないムラ（輝度ムラや色ムラ）が生じている場合に、ムラ補正処理後にパッチ画像が表示される。それにより、パッチ画像の撮影結果として、上記ムラ（無視できないムラ）の影響が低減された値を得ることができる。その結果、キャリブレーションを実行する際に無視できないムラが生じている場合においても、キャリブレーションを高精度に実行することが可能となる。
【００６４】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュ
ータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００６５】
１０１，２０１：表示制御装置  １０５：パッチ生成部  １０６：記憶部
１０７：輝度比較部  １０８：領域決定部  ２０１：表示制御装置
【図１】
2015201715.tif 000003
【図２】
2015201715.tif 000004
【図３】
2015201715.tif 000005
【図４】
2015201715.tif 000006
【図５】
2015201715.tif 000007
【図６】
2015201715.tif 000008
【図７】
2015201715.tif 000009
【図８】
2015201715.tif 000010
【図９】
2015201715.tif 000011
【図１０】
2015201715.tif 000012
【図１１】
2015201715.tif 000013